(57)【要約】【課題】ＰＣのファイルシステムに格納されている所望の測定データファイルを迅速に抽出して可視化表示できる測定システムを提供すること。【解決手段】測定器で生成された測定データファイルをＰＣに転送してファイルシステムに測定データファイルを管理するとともに表示するように構成された測定システムにおいて、前記ＰＣには、前記ＰＣに転送格納されている各測定データファイルに固有の属性情報を含むインデックスファイルを生成格納する手段と、このインデックスファイルに基づき所望の測定データファイルを検索する手段と、検索された測定データファイルを可視化表示する手段、を設けたことを特徴とするもの。【選択図】                    図１
2010257118.tif 000002
【特許請求の範囲】
【請求項１】
測定器で生成された測定データファイルをＰＣに転送してファイルシステムに測定データファイルを管理するとともに表示するように構成された測定システムにおいて、
前記ＰＣには、
前記ＰＣに転送格納されている各測定データファイルに固有の属性情報を含むインデックスファイルを生成格納する手段と、
このインデックスファイルに基づき所望の測定データファイルを検索する手段と、
検索された測定データファイルを可視化表示する手段、
を設けたことを特徴とする測定システム。
【請求項２】
前記インデックスファイルには、
前記測定器を識別できる固有情報と測定チャネル番号別に、測定データファイルが書き込まれているファイルシステムのデータ格納領域に至るまでの経路を示すファイルパス情報と、測定データファイルを構成する測定データの書き込み開始時刻と、測定データファイルを構成する測定データの書き込み終了時刻がセットにして書き込まれていることを特徴とする請求項１記載の測定システム。
【請求項３】
前記ＰＣがネットワークを介して複数台接続されてこれらＰＣのいずれかをローカルとして他のＰＣはリモートとされ、
前記ローカルＰＣには、
前記リモートＰＣのアドレス情報を含む設定ファイルを生成格納する手段と、
前記各ＰＣに転送格納されている各測定データファイルに固有の属性情報を含むインデックスファイルを生成格納する手段と、
これら設定ファイルおよびインデックスファイルに基づき所望の測定データファイルを検索する手段と、
検索された測定データファイルを可視化表示する手段、
を設けたことを特徴とする請求項１記載の測定システム。
【請求項４】
前記インデックスファイルには、
前記測定器を識別できる固有情報および測定チャネル番号と、ローカルおよびリモートのアドレスと測定データファイルが書き込まれているファイルシステムのデータ格納領域に至るまでの経路を示すファイルパスを含むデータ種別情報と、測定データファイルを構成する測定データの書き込み開始時刻と、測定データファイルを構成する測定データの書き込み終了時刻がセットにして書き込まれていることを特徴とする請求項３記載の測定システム。
【請求項５】
前記測定器はペーパーレス記録計であることを特徴とする請求項１から請求項４のいずれかに記載の測定システム
【発明の詳細な説明】
【技術分野】
【０００１】
本発明は、測定システムに関し、詳しくは、測定器で生成された測定データファイルをパーソナルコンピュータ（以下ＰＣという）に転送してＰＣ上で測定データファイルを管理するとともに表示するように構成された測定システムの改良に関するものである。
【０００２】
測定システムの一種に、測定器で生成された測定データファイルをＰＣに転送し、ＰＣ上で測定データファイルを管理するとともに表示するように構成されたものがある。
【０００３】
図４は、このような測定システムの一例を示すブロック図である。図４において、測定器１０はたとえばネットワーク２０を介してＰＣ３０と接続されている。
【０００４】
測定器１０は、たとえば特許文献１に記載されているようなペーパーレス記録計であって、２系統の測定対象ＣＨ１とＣＨ２が接続されており、その各測定チャネルにて測定対象の温度、電圧などを測定している。ペーパーレス記録計１０は固有のシリアル番号１１（たとえば「Ａ」）を持っており、ネットワーク２０に複数台のペーパーレス記録計が存在する場合にはこのシリアル番号１１で区別をする。
【０００５】
ペーパーレス記録計１０は、各チャネルで測定した値と時刻を、固有のシリアル番号１１とともに測定データファイル１２として生成して記録格納している。すなわち、ペーパーレス記録計１０は、予め設定された所定の時間もしくは記憶容量に達すると、新しく測定データファイル１２を作成して保存する。
【０００６】
ここで、ペーパーレス記録計１０が記録できる測定データの格納容量はあらかじめ決まっているため、長期間にわたって測定記録する場合には、ペーパーレス記録計１０で測定記録生成した測定データファイル１２を、定期的にＦＴＰやＵＳＢメモリを使用して、ＰＣ３０に設けられているファイルシステム３１に転送格納保存する。
【０００７】
また、ＰＣ３０には、ファイルシステム３１に転送格納保存されている測定データファイル１２に必要なデータ処理を行い処理結果を表示画面３２に可視化表示するデータファイル用のビューアソフトウェア３３が組み込まれていて、ファイルシステム３１に転送格納保存されている測定データファイル１２に対する処理結果が、ユーザーが選択指定した所望の表示形態で表示画面３２に可視化表示される。
【０００８】
特許文献１には、ペーパーレス記録計１０の具体的な構成例が記載されている。
特許文献２には、ネットワークを介して測定器とコンピュータが接続されたデータ収集装置の構成例が記載されている。
【先行技術文献】
【特許文献】
【０００９】
【特許文献１】特開２００１−０２１３８６号公報
【特許文献２】特開２００６−１５５１３５号公報
【発明の概要】
【発明が解決しようとする課題】
【００１０】
しかしながら、ある特定のペーパーレス記録計１０における特定測定チャネルの特定区間のデータ（たとえばシリアル番号１１が「Ａ」の測定チャネルＣＨ１の１時から２時までのデータ）を表示する場合、その該当する測定データファイル１２が、ＰＣ３０のファイルシステム３１上のどこにあるのかをユーザーが把握しておかなければならない。
【００１１】
もし、その測定データファイル１２がファイルシステム３１上のどこにあるのかがわからない場合には、その測定データファイル１２を探す必要があるが、Ｗｉｎｄｏｗｓ（登録商標）やＬｉｎｕｘ（登録商標）などの通常のオペレーティングシステムではファイル名や作成日などのオペレーティングシステムで指定されている検査項目に基づいて検索する手段しかない。
【００１２】
そのため、特定の測定データを表示するのにあたっては、ファイル名や作成日である程度の予測をしながら、測定データファイル１２を一つずつビューアソフトウェア３３により表示画面３２に可視化表示させて確認しなければならず、ファイルシステム３１に格納される測定データファイル１２の数が増大すると、所望の特定の測定データを表示させるのに多大の作業時間がかかってしまうという問題があった。
【００１３】
本発明は、このような課題を解決するものであり、その目的は、ＰＣのファイルシステムに格納されている所望の測定データファイルを迅速に抽出して可視化表示できる測定システムを提供することにある。
【課題を解決するための手段】
【００１４】
このような課題を達成するために、本発明のうち請求項１記載の発明は、
測定器で生成された測定データファイルをＰＣに転送してファイルシステムに測定データファイルを管理するとともに表示するように構成された測定システムにおいて、
前記ＰＣには、
前記ＰＣに転送格納されている各測定データファイルに固有の属性情報を含むインデックスファイルを生成格納する手段と、
このインデックスファイルに基づき所望の測定データファイルを検索する手段と、
検索された測定データファイルを可視化表示する手段、
を設けたことを特徴とする。
【００１５】
請求項２記載の発明は、請求項１記載の測定システムにおいて、
前記インデックスファイルには、
前記測定器を識別できる固有情報と測定チャネル番号別に、測定データファイルが書き込まれているファイルシステムのデータ格納領域に至るまでの経路を示すファイルパス情報と、測定データファイルを構成する測定データの書き込み開始時刻と、測定データファイルを構成する測定データの書き込み終了時刻がセットにして書き込まれていることを特徴とする。
【００１６】
請求項３記載の発明は、請求項１記載の測定システムにおいて、
前記ＰＣがネットワークを介して複数台接続されてこれらＰＣのいずれかをローカルとして他のＰＣはリモートとされ、
前記ローカルＰＣには、
前記リモートＰＣのアドレス情報を含む設定ファイルを生成格納する手段と、
前記各ＰＣに転送格納されている各測定データファイルに固有の属性情報を含むインデックスファイルを生成格納する手段と、
これら設定ファイルおよびインデックスファイルに基づき所望の測定データファイルを検索する手段と、
検索された測定データファイルを可視化表示する手段、
を設けたことを特徴とする。
【００１７】
請求項４記載の発明は、請求項３記載の測定システムにおいて、
前記インデックスファイルには、
前記測定器を識別できる固有情報および測定チャネル番号と、ローカルおよびリモートのアドレスと測定データファイルが書き込まれているファイルシステムのデータ格納領域に至るまでの経路を示すファイルパスを含むデータ種別情報と、測定データファイルを構成する測定データの書き込み開始時刻と、測定データファイルを構成する測定データの書き込み終了時刻がセットにして書き込まれていることを特徴とする。
【００１８】
請求項５記載の発明は、請求項１から請求項４のいずれかに記載の測定システムにおいて、
前記測定器はペーパーレス記録計であることを特徴とする。
【発明の効果】
【００１９】
本発明によれば、ＰＣのファイルシステムに格納されている所望の測定データファイルを迅速に抽出して可視化表示できる測定システムが実現できる。
【図面の簡単な説明】
【００２０】
【図１】本発明の一実施例を示すブロック図である。
【図２】本発明の他の実施例を示すブロック図である。
【図３】本発明の他の実施例を示すブロック図である。
【図４】従来の測定システムの一例を示すブロック図である。
【発明を実施するための最良の形態】
【００２１】
以下、本発明について、図面を用いて詳細に説明する。図１は本発明の一実施例を示すブロック図であり、図４と共通する部分には同一の符号を付けている。図１において、ＰＣ３０のファイルシステム３１には、ペーパーレス記録計１０で測定記録された測定データファイル１２が転送格納保存されている。
【００２２】
ＰＣ３０のビューアソフトウェア３３には、ファイルシステム３１に格納保存されている測定データファイル１２に基づきインデックスファイル３４を作成するインデックスファイル作成部３３ａと、作成されたインデックスファイル３４に関する情報を表示するインデックスファイル情報表示部３３ｂと、作成されたインデックスファイル３４に含まれる測定データファイル１２を検索するための条件を入力する測定データファイル検索条件入力部３３ｃと、入力された検索条件に基づきインデックスファイル３４から該当する測定データファイル１２を検索する測定データファイル検索部３３ｄが設けられている。
【００２３】
インデックスファイル作成部３３ａで作成されるインデックスファイル３４には、ペーパーレス記録計１０のシリアル番号それぞれの測定チャネル別に、各測定データファイル１２について、
１）各ペーパーレス記録計１０で測定記録された各測定データファイル１２へのパス
２）各測定データファイル１２を構成する測定データの書き込み開始時刻
３）各測定データファイル１２を構成する測定データの書き込み終了時刻
よりなる３種類の情報をセットにして書き込まれる。
【００２４】
インデックスファイル情報表示部３３ｂには、インデックスファイル作成部３３ａで作成されたインデックスファイル３４内の各測定データファイル１２に関する情報として、たとえばペーパーレス記録計１０のシリアル番号と測定チャネル番号が表示される。
【００２５】
測定データファイル検索条件入力部３３ｃには、ユーザーが、測定データファイルの検索条件として、
１）ペーパーレス記録計１０のシリアル番号
２）ペーパーレス記録計１０の測定チャネル番号
３）見たい時刻
を入力する。
【００２６】
測定データファイル検索部３３ｄは、測定データファイル検索条件入力部３３ｃから入力された検索条件に基づきインデックスファイル３４を検索し、これら検索条件に合致する特定区間の測定データファイル１２を抽出する。
【００２７】
そして、抽出された測定データファイル１２が書き込まれているファイルシステム３１のデータ格納領域に至るまでの経路を示すファイルパス情報にしたがって該当する一連の測定データを読み出し、表示画面３２に可視化表示する。
【００２８】
なお、新しい測定データファイル１２がＵＳＢメモリやＦＴＰなどによってファイルシステム３１に追加された場合には、ビューアソフトウェア３３はインデックスファイル３４を更新する。
【００２９】
図１のように構成することにより、ユーザーが測定データファイル検索条件入力部３３ｃからペーパーレス記録計１０のシリアル番号と見たい測定チャネルと見たい時刻を指定するだけで、測定データファイル１２の所在を全く意識することなく、即座に、該当する測定データファイル１２の測定データ波形を表示画面３２に可視化表示できる。
【００３０】
なお、ペーパーレス記録計１０で長期間にわたって測定データを記録した場合、記録された測定データファイルの数は膨大になるが、本発明を適用することにより、測定データファイルの数に関係なく即座に測定データの波形を表示させることができる。
【００３１】
図２は、本発明の他の実施例を示すブロック図である。図２において、ペーパーレス記録計１０Ａ、１０Ｂで測定記録された測定データファイル１２Ａ、１２Ｂは、ネットワーク２０を介して相互に接続されている複数のＰＣ４０、５０に分散格納されている。
【００３２】
ＰＣ４０のファイルシステム４１にはシリアル番号「Ａ」のペーパーレス記録計１０Ａの測定データファイル１２Ａが保存され、ＰＣ５０のファイルシステム５１にはシリアル番号「Ｂ」のペーパーレス記録計１０Ｂの測定データファイル１２Ｂが保存されている。
【００３３】
ＰＣ４０にはビューアソフトウェア４３がインストールされ、ＰＣ５０にはビューアソフトウェア５３がインストールされている。
【００３４】
ビューアソフトウェア４３において、設定ファイル作成部４３ａは、ＰＣ５０のネットワーク上のアドレス（たとえばＩＰアドレスなど）をファイルシステム４１の設定ファイル４４に書き込む。
【００３５】
ローカルインデックスファイル作成部４３ｂは、ファイルシステム４１に格納されている測定データファイル１２Ａに基づいてファイルシステム４１のインデックスファイル４５を作成する。
【００３６】
リモートインデックスファイル作成部４３ｃは、設定ファイル４４に格納されている情報を参照してＰＣ５０にアクセスし、ＰＣ５０のファイルシステム５１に格納されている測定データファイル１２Ｂに基づいてインデックスファイル４５を作成する。
【００３７】
ＰＣ５０のファイルシステムがＷｉｎｄｏｗｓ（登録商標）のファイル共有のような形で公開されている場合は、リモートインデックスファイル作成部４３ｃは直接ＰＣ５０のファイルシステムにアクセスし、インデックスファイル４５を作成する。もしＰＣ５０にビューアソフトウェア５３がインストールされていれば、ビューアソフトウェア５３にアクセスし、インデックスファイル５４の情報を取得して、インデックスファイル４５を作成する。
【００３８】
なお、インデックスファイル４５には、それぞれの測定データファイルに固有の属性情報として、
１）各ペーパーレス記録計１０のシリアル番号と測定チャネル番号
２）各測定データファイル１２の保存場所(どのＰＣに保存しているか)
３）各ペーパーレス記録計１０で測定記録された各測定データファイル１２へのパス
４）各測定データファイル１２を構成する測定データの書き込み開始時刻
５）各測定データファイル１２を構成する測定データの書き込み終了時刻
よりなる５種類の情報をセットにして書き込まれる。
【００３９】
ビューアソフトウェア４３のインデックスファイルリスト作成部４３ｄは、インデックスファイル４５に格納されている各測定データファイルのセット情報に基づき、各測定データファイルに固有の属性情報である各ペーパーレス記録計１０のシリアル番号と測定チャネル番号のリストを作成する。
【００４０】
インデックスファイルリスト情報表示部４３ｅは、インデックスファイルリスト作成部４３ｅで作成されたインデックスファイルリストを表示する。
【００４１】
ユーザーは、インデックスファイルリスト選択部４３ｆを操作してインデックスファイルリスト情報表示部４３ｅに表示されるインデックスファイルリストから、表示させたいペーパーレス記録計１０のシリアル番号と測定チャネル番号の組み合わせを選択する。
【００４２】
測定データファイル検索部４３ｇは、インデックスファイルリスト選択部４３ｆで選択されたシリアル番号とチャネルが一致する測定データファイルを検索して読み出し、測定データに基づく波形を表示画面４２に可視化表示する。なお、データ種別が「リモート」ならＰＣ５０のＩＰアドレスにアクセスし、それぞれの該当する測定データファイルを読み出す。
【００４３】
ＰＣ５０のビューアソフトウェア５３には、ファイルシステム５１に格納保存されている測定データファイル１２Ｂに基づきインデックスファイル５４を作成するインデックスファイル作成部５３ａと、作成されたインデックスファイル５４に関する情報を表示するインデックスファイル情報表示部５３ｂと、作成されたインデックスファイル５４に含まれるインデックスファイルを選択するインデックスファイル選択部５３ｃが設けられている。
【００４４】
インデックスファイル作成部５３ａで作成されるインデックスファイル５４には、測定データファイル１２Ｂに固有の属性情報として、
１）各ペーパーレス記録計１０のシリアル番号と測定チャネル番号
２）各ペーパーレス記録計１０で測定記録された各測定データファイル１２へのパス
３）各測定データファイル１２を構成する測定データの書き込み開始時刻
４）各測定データファイル１２を構成する測定データの書き込み終了時刻
よりなる４種類の情報をセットにして書き込まれる。
【００４５】
インデックスファイル情報表示部５３ｂには、インデックスファイル作成部５３ａで作成されたインデックスファイル５４内の測定データファイル１２Ｂに関する情報として、ペーパーレス記録計１０のシリアル番号と測定チャネル番号が表示される。
【００４６】
インデックスファイル選択部５３ｃには、ユーザーが、測定データファイルの選択条件として、
１）ペーパーレス記録計１０のシリアル番号
２）ペーパーレス記録計１０の測定チャネル番号
３）見たい時刻
を入力する。
【００４７】
これにより、インデックスファイル選択部５３ｃは、ＰＣ５０のファイルシステム５１から選択条件に合致する特定区間の測定データファイル１２Ｂを抽出し、表示画面５２に可視化表示する。
【００４８】
図３も本発明の他の実施例を示すブロック図であり、図１および図２と共通する部分には同一の符号を付けている。図３において、ネットワーク２０にはＯｒａｃｌｅ（登録商標）やＭｉｃｒｏｓｏｆｔ ＳＱＬ Ｓｅｒｖｅｒ（登録商標）のような汎用のデータベースサーバ６０が接続されていて、ペーパーレス記録計１０Ｂで測定記録された測定データファイル１２Ｂがペーパーレス記録計１０Ｂのシリアル番号とチャネル番号とともに格納されている。ＰＣ３０のファイルシステム３１にはシリアル番号「Ａ」のペーパーレス記録計１０Ａの測定データファイル１２Ａが保存されている。なお、図３では、データベースサーバ６０にペーパーレス記録計１０Ｂで測定記録された測定データファイル１２Ｂと同様の測定データファイル１２Ｂを図示しているが、データベースサーバ６０に格納される測定データファイル１２Ｂの測定データは、データベースサーバ６０のデータ形式に適合するように変換されている。
【００４９】
ＰＣ３０のビューアソフトウェア３３は測定データファイル１２の構造をあらかじめ把握しているため、この測定データを読み出すことができる。ところが、データベースサーバ６０にデータベースとして格納されているデータは、データベース専用のＡＰＩを利用するか、ＯＤＢＣドライバのような専用ドライバを用いてＳＱＬ言語によってデータのアクセスを行う必要がある。そこで、ビューアソフトウェア３３に、データベースサーバ専用のＡＰＩを利用するか、ＯＤＢＣドライバを用いてデータを読み出すためのデータベースサーバ読み出し部３３ｆを設けている。
【００５０】
ＰＣ３０のビューアソフトウェア３３において、設定ファイル作成部３３eは、データベースサーバ６０のネットワーク上のアドレス（たとえばＩＰアドレスなど）をファイルシステム３１の設定ファイル３５に書き込む。
【００５１】
ＰＣ３０のビューアソフトウェア３３のインデックスファイル作成部３３ａで作成されるインデックスファイル３４には、ペーパーレス記録計１０のシリアル番号それぞれの測定チャネル別に、以下の５種類の情報をセットにして書き込まれる。
１）各ペーパーレス記録計１０のシリアル番号と測定チャネル番号
２）データ種別（ファイルかデータベースサーバか）
３）各ペーパーレス記録計１０で測定記録された各測定データファイル１２へのパス（データ種別がファイルのときのみ必要）
４）各測定データの書き込み開始時刻
５）各測定データの書き込み終了時刻
【００５２】
インデックスファイルリスト情報表示部３３ｂには、インデックスファイル作成部３３ａで作成されたインデックスファイル３４内の各情報として、たとえばペーパーレス記録計１０のシリアル番号と測定チャネル番号が表示される。
【００５３】
測定データ検索条件入力部３３ｃには、ユーザーが、測定データファイルの検索条件として下記項目を入力する。
１）ペーパーレス記録計１０のシリアル番号
２）ペーパーレス記録計１０の測定チャネル番号
３）見たい時刻
【００５４】
測定データ検索部３３ｄは、測定データファイル検索条件入力部３３ｃから入力された検索条件に基づき、インデックスファイル３４を検索する。データ種別が測定データファイルの場合には、ファイルパスから該当する測定データファイル１２を抽出する。データ種別がデータベースサーバ６０なら、設定ファイル３５からデータベースサーバ６０のＩＰアドレスを取得し、データベース読み出し部３３ｆを介して測定データを読み出して表示画面３２に可視化表示する。
【００５５】
なお、上記実施例では、ネットワークを介してＰＣと接続される測定器がペーパーレス記録計の例について説明したが、これに限るものではなく、デジタルオシロスコープやデジタル電力測定器やデジタルマルチメータなどであってもよい。
【００５６】
以上説明したように、本発明によれば、ＰＣのファイルシステムに格納されている所望の測定データファイルを迅速に抽出して可視化表示できる測定システムが実現できる。
【符号の説明】
【００５７】
１０  測定器（ペーパーレス記録計）
２０  ネットワーク
３０４０、５０  ＰＣ（パーソナルコンピュータ）
６０  データベースサーバ
【図１】
2010257118.tif 000003
【図２】
2010257118.tif 000004
【図３】
2010257118.tif 000005
【図４】
2010257118.tif 000006